(57)【特許請求の範囲】
【請求項１】
玄関に設置されて親世帯呼出ボタン及び子世帯呼出ボタンを備えた玄関子機と、前記玄関子機からの呼び出しに応答するための２つの居室親機とを有し、前記居室親機同士が有線接続されて成る２世帯インターホンシステムにおいて、
前記居室親機はそれぞれ無線通信部を備えてワイヤレス親機とＴＤＭＡ方式による通信が可能であって、前記２つの居室親機は、前記有線接続して形成されている伝送路を使用して他方の前記居室親機にクロック信号を出力するクロック出力手段と、前記クロック信号を受信したら自身のクロックを補正するクロック補正手段と、受信した前記クロック信号のパラメータを記憶するパラメータ記憶部とを有し、
前記玄関子機から呼び出しを受けた際に、呼び出された前記居室親機から呼び出しのない前記居室親機へクロック信号を送信すると共に、
前記クロック補正手段は、前記クロック信号が途切れたら、前記パラメータ記憶部に記憶された情報を基に自身のクロック補正を継続することを特徴とする２世帯インターホンシステム。
【発明の詳細な説明】
【技術分野】
【０００１】
本発明は、２世帯インターホンシステムに関し、特に玄関子機からの呼び出しに無線通信により応答できるワイヤレス親機を備えた２世帯インターホンシステムに関する。
【背景技術】
【０００２】
居室親機を２台備えた２世帯インターホンシステムがある。このインターホンシステムでは、玄関子機が世帯別に独立して設けられたり、共通する筐体に親世帯と子世帯の呼び出しボタンが独立して設けられ、居室親機はそれぞれの世帯に設置されている。このような２世帯インターホンシステムでは、居室親機同士は互いに通話出来るように構成されており、例えば伝送線で居室親機同士が接続されている（例えば、特許文献１参照）。
また、居室親機に加えて玄関子機からの呼び出しに応答することができる携行可能なワイヤレス親機を備えたインターホンシステムがある。これは、居室親機とワイヤレス親機との間で無線通信を実施して、居室親機を介して玄関子機とワイヤレス親機との間で通話が可能となっている（例えば、特許文献２参照）。
一方で、無線通信方式にＴＤＭＡ方式がある。このＴＤＭＡ方式は、時間的にガードタイムで区切られたスロットに信号を含めてリアルタイムで衝突無く通信できるため、携帯電話やワイヤレス電話機等で普及している（例えば、特許文献３参照）。
【先行技術文献】
【特許文献】
【０００３】
【特許文献１】特開２０００−２７８４１３号公報
【特許文献２】特開２０１１−１７６７６４号公報
【特許文献３】特開２００５−２８６４０６号公報
【発明の概要】
【発明が解決しようとする課題】
【０００４】
上記ＴＤＭＡ方式では、基地局と無線機器との間でフレーム同期をとるために、基地局から無線機器に対して同期信号を定期的に送信される。そのため、このＴＤＭＡ方式を居室親機とワイヤレス親機との間の通信に使用しようとすると、同期をとるために居室親機側に同期信号発生部を設けて定期的に同期信号をワイヤレス親機に送信する必要がある。
しかしながら、この方式を２世帯インターホンシステムに適用した場合、双方の居室親機は比較的近い位置に設置されているため、双方の同期信号発生部の間で発生するクロック誤差によりフレームのドリフトが発生し、時間の経過と共にスロット干渉が発生する問題があった。
【０００５】
そこで、本発明はこのような問題点に鑑み、ＴＤＭＡ方式を採用したワイヤレス親機を双方の居室親機に対して備えても、フレームのドリフトが発生することがない２世帯インターホンシステムを提供することを目的としている。
【課題を解決するための手段】
【０００６】
上記課題を解決する為に、請求項１の発明は、玄関に設置されて親世帯呼出ボタン及び子世帯呼出ボタンを備えた玄関子機と、玄関子機からの呼び出しに応答するための２つの居室親機とを有し、居室親機同士が有線接続されて成る２世帯インターホンシステムにおいて、居室親機はそれぞれ無線通信部を備えてワイヤレス親機とＴＤＭＡ方式による通信が可能であって、２つの居室親機は、有線接続して形成されている伝送路を使用して他方の居室親機にクロック信号を出力するクロック出力手段と、クロック信号を受信したら自身のクロックを補正するクロック補正手段と、受信したクロック信号のパラメータを記憶するパラメータ記憶部とを有し、玄関子機から呼び出しを受けた際に、呼び出された居室親機から呼び出しのない居室親機へクロック信号を送信すると共に、クロック補正手段は、クロック信号が途切れたら、パラメータ記憶部に記憶された情報を基に自身のクロック補正を継続することを特徴とする。
この構成によれば、居室親機間に配設されている伝送路を使用して一方の居室親機のクロック信号により他方の居室親機のクロック周波数が補正されるため、簡易な構成で両者のクロックを同期させることができ、居室親機がワイヤレス親機と通信する際にフレームのドリフトによる電波干渉が発生するのを防止できる。
【０００７】
また、他方の居室親機から送信されるクロック信号が途切れても、パラメータ記憶部の情報を基にクロック補正を継続できる。そのため、伝送路を介したクロック信号の送信は不定期でも良く、省電力を図ることができる。
【０００８】
加えて、呼出操作をトリガーにして同期を図るため、クロック信号の送信が不定期であっても、ワイヤレス親機を使用する確率が高いタイミングで確実に同期させることができる。
【発明の効果】
【０００９】
本発明によれば、一方の居室親機のクロック信号により他方の居室親機のクロック周波数が補正されるため、両者のクロックを同期させることができ、居室親機がワイヤレス親機と通信する際にフレームのドリフトによる電波干渉が発生することがない。
【図面の簡単な説明】
【００１０】
【図１】本発明に係る２世帯インターホンシステムの一例を示す概略構成図である。
【図２】居室親機の要部ブロック図である。
【発明を実施するための形態】
【００１１】
以下、本発明を具体化した実施の形態を、図面を参照して詳細に説明する。図１は本発明に係る２世帯インターホンシステムの一例を示す概略構成図であり、１は玄関子機、２は居室親機（子世帯親機２ａ、親世帯親機２ｂ）、３はワイヤレス親機である。玄関子機１は、子世帯呼出ボタン１ａ、親世帯呼出ボタン１ｂを有し、それぞれの居室親機２と伝送線Ｌ１，Ｌ２で接続されている。また、居室親機２同士も伝送線Ｌ３で接続され両者の間で呼び出し／通話を可能としている。
【００１２】
子世帯親機２ａ及び親世帯親機２ｂは、玄関子機１からの呼び出しに応答するための通話ボタン、通話するためのマイク及びスピーカ等のインターホンとしての基本構成（何れも図示せず）に加えて、ワイヤレス親機３と通信する機能を備えている。
但し、親世帯親機２ｂが生成するクロック信号に基づいて子世帯親機２ａの内部周波数が同期するよう構成されている。
【００１３】
子世帯親機２ａが親世帯親機２ｂに同期する構成及び作用は以下の様である。図２は周波数を同期させる構成を示す回路ブロック図であり、子世帯親機２ａの要部を示している。図２に示すように、子世帯親機２ａは水晶振動子等を具備したクロック発振回路２１、ＰＬＬ回路２２、クロック発振回路２１の発振周波数を調整する周波数調整回路２３、後述するクロック信号のパラメータ情報を記憶するパラメータ記憶部２４、ワイヤレス親機３とＴＤＭＡ方式による通信を実施するＴＤＭＡ通信部２６、子世帯親機２ａの各回路を制御する親機ＣＰＵ２７等を備え、２６ａはワイヤレス親機３に対して同期信号を発生する同期信号生成部である。
【００１４】
尚、親世帯親機２ｂは、パラメータ記憶部２４を持たない以外は子世帯親機２ａと共通した構成であり、クロック発振回路２１、ＰＬＬ回路２２、周波数調整回路２３、ＴＤＭＡ通信部２６、親世帯親機２ｂの各回路を制御する親機ＣＰＵ２７、同期信号生成部２６ａを備えている。そして、親世帯親機２ｂの親機ＣＰＵ２７はクロック信号を子世帯親機２ａへ出力させるクロック信号出力手段として動作する。
【００１５】
子世帯親機２ａと親世帯親機２ｂは双方向で呼び出し／通話するための伝送路としての伝送線Ｌ３を介して接続されており、この伝送線Ｌ３を利用して親世帯親機２ｂで生成されたクロック信号が子世帯親機２ａへ伝送される。伝送されたクロック信号はＰＬＬ回路２２が受信し、ＰＬＬ回路２２から親機ＣＰＵ２７に対して受信したクロック信号に基づく同期信号が出力される。
この同期信号を受けて、親機ＣＰＵ２７がクロック補正手段として動作し、周波数調整回路２３を制御して周波数が調整され、クロックの同期が図られる。この結果、クロック発振回路２１の周波数と親世帯親機２ｂの図示しないクロック発振回路の発振周波数に誤差があっても、内部クロックを同期させることができる。
【００１６】
また親機ＣＰＵ２７は、周波数調整回路２３を制御するために生成したパラメータをパラメータ記憶部２４に保存する。この結果、伝送線Ｌ３は通話等で使用されて親世帯親機２ｂからクロック信号が伝送されない期間が発生しても、パラメータ記憶部２４の情報を基に周波数調整回路２３を制御するこができ、同期した状態を維持できる。そのため、親世帯親機２ｂからのクロック信号の伝送が不定期であっても、両者の同期を継続させることが可能となる。
【００１７】
このように、子世帯親機２ａと親世帯親機２ｂの間に配設されている伝送線Ｌ３を使用して親世帯親機２ｂのクロック信号により子世帯親機２ａのクロック周波数が補正されるため、簡易な構成で両者のクロックを同期させることができる。そして、親世帯親機２ｂと子世帯親機２ａのクロックを同期させることができるため、ワイヤレス親機３と通信する際にフレームのドリフトによる電波干渉が発生することがなく、常にワイヤレス親機３を良好に使用できる。
また、親世帯親機２ｂから送信されるクロック信号が途切れても、パラメータ記憶部２４の情報を基にクロック補正を継続できるため、伝送線Ｌ３を介したクロック信号の送信は不定期でも良く、省電力を図ることができる。
【００１８】
尚、上記実施形態では、親世帯親機２ｂをマスターとして子世帯親機２ａを親世帯親機２ｂのクロックに同期させているが、逆であっても良い。つまり子世帯親機２ａをマスターとして動作させても良い。更に、マスターを設定することなく、双方の居室親機２に同一の機能を持たせて、即ちクロック信号送信機能及びクロック信号受信機能、更にパラメータ記憶部２４を持たせて、双方向でクロック信号の伝送を実施しても良い。
このような構成とすれば、例えば玄関子機１から呼出操作を受けたら、呼び出された居室親機２から呼び出しのない居室親機２へクロック信号を伝送して同期させることができるため、クロック信号の送信が不定期であっても、ワイヤレス親機３を使用する確率が高いタイミングで確実に同期させることができ、更に省電力を図ることができる。
更に、電源投入後の初期化時には、クロックの安定化を考慮し、先に電源オンされている居室親機のクロックを伝送し同期をとることもできる。
【符号の説明】
【００１９】
１・・玄関子機、１ａ・・子世帯呼出ボタン、１ｂ・・親世帯呼出ボタン、２（２ａ，２ｂ）・・居室親機、３・・ワイヤレス親機、２１・・クロック発振回路、２２・・ＰＬＬ回路、２３・・周波数調整回路、２４・・パラメータ記憶部、２６・・ＴＤＭＡ通信部、２６ａ・・同期信号発生部、２７・・親機ＣＰＵ（クロック信号出力手段、クロック補正手段）。
【図１】
0006412452.tif 000002
【図２】
0006412452.tif 000003